(57)【要約】  【課題】  コンクリート材料に対して効率良く振動を与えることができ、高品質のコンクリートを製造するのに好適なコンクリートミキサを提供する。  【解決手段】    コンクリートミキサ１の混練軸３の軸端部に軸体１２を回転自在に軸着し、この軸体１２には軸体駆動用モータ２０からの駆動力を伝達するプーリ１８と、主動ギヤ１９とを装着する。また、主動ギヤ１９の外周縁に沿わせて少なくとも一対以上の従動ギヤ２３を備え、これら対を成す従動ギヤ２３同士を軸体１２に対して対向位置に配置してそれぞれ主動ギヤ１９と噛合させる。また、各従動ギヤ２３には起振用のアンバランスウエイト２５を固着し、かつ対向位置のアンバランスウエイト２５の位置関係を対称となるように調整して、混練軸３に対して半径方向への振動は相殺させて円周方向のみへ振動を付与するように構成する。【選択図】  図３
2007054959.tif 000002
【特許請求の範囲】
【請求項１】
混練槽内に配設した混練軸を混練軸駆動用モータにより回転させて各種コンクリート材料を混練するコンクリートミキサにおいて、前記混練軸の軸端部に混練軸と軸心を同一にする軸体を回転自在に軸着し、該軸体には軸体駆動用モータからの駆動力を伝達するプーリと、主動ギヤとを装着すると共に、該主動ギヤの外周縁に沿わせて少なくとも一対以上の従動ギヤを備え、これら対を成す従動ギヤ同士を軸体に対して対向位置に配置してそれぞれ主動ギヤと噛合させる一方、各従動ギヤには起振用のアンバランスウエイトを固着し、かつ対向位置の従動ギヤ同士のアンバランスウエイトの位置関係を対称となるように調整して、前記混練軸に対して半径方向への振動は相殺させて円周方向のみへ振動を付与するように構成したことを特徴とするコンクリートミキサ。
【請求項２】
前記アンバランスウエイトによる混練軸への振動が混練軸駆動用モータ側に及ぶのを抑制する振動抑制手段を備えたことを特徴とする請求項１記載のコンクリートミキサ。
【発明の詳細な説明】
【技術分野】
【０００１】
本発明は、砂利、砂、セメント、水、及び混和剤などの各種コンクリート材料を練り混ぜて生コンクリートを製造するコンクリートミキサに関する。
【背景技術】
【０００２】
従来より、混練槽内のコンクリート材料に振動を与えながら混練を行うようにした振動式のミキサは知られている。例えば、特許文献１（特公昭５３−４３２５７号）には、回転するパン型の混練槽内に上方より固定式の混練軸を臨ませたミキサにおいて、この混練軸の基端部に振動機を取り付け、混練軸及び混練軸先端の混練羽根を上下方向に振動させるようにしたミキサが記載されている。また、特許文献２（実開昭５９−１９０３３３号）には、混練槽の底面部に振動機を取り付け、混練槽全体を振動させるようにしたミキサが記載されている。そして、このような振動式のミキサでは、混練槽内に投入したコンクリート材料に対して適当な振動を与えながら混練することにより、練り上がり後のコンクリートの強度を高めることが期待される。
【特許文献１】特公昭５３−４３２５７号公報
【特許文献２】実開昭５９−１９０３３３号公報
【発明の開示】
【発明が解決しようとする課題】
【０００３】
ところで、振動式のミキサとしては上記のようなものだけでなく、その他様々なものも考えられるが、何れにしてもコンクリート材料に対してより効率良く振動を与えられるものが求められる。また、メンテナンス面を考慮すると、その振動はコンクリート材料に対してだけ効率良く伝わり、駆動用モータなどのミキサ装置には極力伝わらないように配慮することが好ましい。
【０００４】
本発明は上記の点に鑑み、コンクリート材料に対して効率良く振動を与えることができ、高品質のコンクリートを製造するのに好適なコンクリートミキサを提供することを課題とする。
【課題を解決するための手段】
【０００５】
上記課題を解決するために、本発明に係る請求項１記載のコンクリートミキサは、混練槽内に配設した混練軸を混練軸駆動用モータにより回転させて各種コンクリート材料を混練するコンクリートミキサにおいて、前記混練軸の軸端部に混練軸と軸心を同一にする軸体を回転自在に軸着し、該軸体には軸体駆動用モータからの駆動力を伝達するプーリと、主動ギヤとを装着すると共に、該主動ギヤの外周縁に沿わせて少なくとも一対以上の従動ギヤを備え、これら対を成す従動ギヤ同士を軸体に対して対向位置に配置してそれぞれ主動ギヤと噛合させる一方、各従動ギヤには起振用のアンバランスウエイトを固着し、かつ対向位置の従動ギヤ同士のアンバランスウエイトの位置関係を対称となるように調整して、前記混練軸に対して半径方向への振動は相殺させて円周方向のみへ振動を付与するように構成したことを特徴としている。
【０００６】
また、請求項２記載のコンクリートミキサは、前記アンバランスウエイトによる混練軸への振動が混練軸駆動用モータ側に及ぶのを抑制する振動抑制手段を備えたことを特徴としている。
【発明の効果】
【０００７】
本発明に係る請求項１記載のコンクリートミキサによれば、混練槽内に配設した混練軸を混練軸駆動用モータにより回転させて各種コンクリート材料を混練するコンクリートミキサにおいて、前記混練軸の軸端部に混練軸と軸心を同一にする軸体を回転自在に軸着し、該軸体には軸体駆動用モータからの駆動力を伝達するプーリと、主動ギヤとを装着すると共に、該主動ギヤの外周縁に沿わせて少なくとも一対以上の従動ギヤを備え、これら対を成す従動ギヤ同士を軸体に対して対向位置に配置してそれぞれ主動ギヤと噛合させる一方、各従動ギヤには起振用のアンバランスウエイトを固着し、かつ対向位置の従動ギヤ同士のアンバランスウエイトの位置関係を対称となるように調整して、前記混練軸に対して半径方向への振動は相殺させて円周方向のみへ振動を付与するように構成したので、混練軸などに無理な負荷をかけることなく混練軸やそれに備える多数の混練羽根などを介してコンクリート材料へ効率良く振動を行き渡らせることができ、好適に混練性能を向上させて高品質のコンクリートを得ることができる。
【０００８】
また、本発明に係る請求項２記載のコンクリートミキサによれば、前記アンバランスウエイトによる混練軸への振動が混練軸駆動用モータ側に及ぶのを抑制する振動抑制手段を備えたので、ミキサの駆動部分の振動による故障や破損を極力防止することができ、メンテナンス面において有利である。
【発明を実施するための最良の形態】
【０００９】
本発明に係る請求項１記載のコンクリートミキサにあっては、例えば混練軸を混練槽内に水平に配設し、この混練軸を混練軸駆動用モータにて回転させて各種コンクリート材料を撹拌・混合して混練を行う強制練りミキサなどにおいて、その混練軸の軸端部に混練軸と軸心を同一にする軸体を回転自在に軸着する。前記軸体には、混練軸駆動用モータとは別に備えた軸体駆動用モータからの駆動力を軸体に伝達するプーリと、軸体と一体に回転する主動ギヤとをそれぞれ装着すると共に、該主動ギヤの外周縁に沿わせて少なくとも一対以上の従動ギヤを備える。そして、これら対を成す従動ギヤ同士を軸体に対して対向位置に配置してそれぞれ主動ギヤと噛合させる一方、各従動ギヤには起振用のアンバランスウエイトを固着し、かつ対向位置の従動ギヤ同士のアンバランスウエイトの位置関係が常に対称となるように各ウエイトの取り付け向きを調整する。このように構成することにより、軸体の回転に伴って各従動ギヤのアンバランスウエイトが回転して振動を発生させた際、混練軸の半径方向への振動は相殺させる一方、混練軸の円周方向、即ち混練軸がもともと回動可能な方向には振動を付与することができ、混練軸の軸受部のベアリングなどが振動による負荷によって損傷することがないように図っている。
【００１０】
そして、上記ミキサにてコンクリートを製造するときには、先ず、軸体駆動用モータを駆動して軸体を回転させ、それに伴って主動ギヤ、及び従動ギヤを回転させ、その従動ギヤに取り付けたアンバランスウエイトの回転によって混練軸に円周方向への振動を付与させる。そして、この状態で混練軸駆動用モータを駆動して混練軸を回転させながら、混練槽内に各種コンクリート材料を順次投入していく。混練槽内に投入したコンクリート材料は、混練軸や多数の混練羽根などから振動を受け続けながら繰り返し撹拌・混合され、それによって好適な混練がなされて高品質なコンクリートとして排出されていく。
【００１１】
このように、コンクリートミキサの混練軸に対して極力無理な負荷をかけることなく、円周方向のみへ上手く振動を付与しながらコンクリート材料を混練するようにしたので、混練軸や多数の混練羽根などを介してコンクリート材料へ効率良く十分な振動を行き渡らせることができ、好適に混練性能が向上して練り上がり後のコンクリートの強度増加などを期待することができる。
【００１２】
また、本発明に係る請求項２記載のコンクリートミキサにあっては、アンバランスウエイトの回転による混練軸への振動が混練軸駆動用モータ側に及ぶのを抑制する振動抑制手段を備えている。前記振動抑制手段は、例えば、混練軸の一端側に混練軸駆動用モータにより回転駆動するスプロケットを遊嵌すると共に、混練軸の軸端部には前記軸体を回転自在に軸着させて支持する支持部材を装着しており、該支持部材と前記スプロケットとをバネを介して連結することで構成している。
【００１３】
そして、コンクリートを製造する場合、前記同様に、軸体駆動用モータを駆動して軸体の回転に伴ってアンバランスウエイトを回転させることで振動を発生させつつ、混練軸駆動用モータを駆動してスプロケットを回転させ、このスプロケットの回転にてバネ越しに支持部材を回転させることにより、最終的に支持部材を装着した混練軸を回転させていく。このとき、アンバランスウエイトからの振動は支持部材を介して混練軸側には直接伝わり、混練軸をその回動方向へと確実に振動させる一方、スプロケット側にはその途中に介したバネによって大部分が吸収されて弱められ、混練軸駆動用モータまで強く振動が伝わるおそれはない。
【００１４】
このように、ミキサの混練軸に対しては十分かつ確実に振動を付与しながら、その混練軸を駆動させるモータ側には極力振動が伝わらないようにしたので、振動による駆動部の故障や破損を未然に防止することができ、メンテナンス面において有利である。
【実施例１】
【００１５】
以下本発明の一実施例を図１〜図８に基づいて説明する。
【００１６】
図中の１は砂利、砂、セメント、水、混和剤などのコンクリート材料を混練して生コンクリートを製造する二軸式のコンクリートミキサであって、混練槽２に二本の平行な混練軸３を貫通し、混練槽２に固定した軸受４により回転自在に支持している。また、混練軸３には半径方向に多数のアーム５を放射状に配設し、該アーム５の先端部には適宜角度を有した混練羽根６を取り付けている。
【００１７】
片方の混練軸３の一端側には、回転伝達機構としてスプロケット７を混練軸３に固定することなく遊嵌していると共に、該スプロケット７の側方には混練軸駆動用モータ８を配設しており、該混練軸駆動用モータ８に備えたスプロケット９と前記混練軸３に遊嵌したスプロケット７とをチェーン１０にて連結して、混練軸駆動用モータ８の駆動によりスプロケット７を回転するようにしている。なお、本実施例においては、スプロケット７や混練軸駆動用モータ８を片方の混練軸３に対してだけ備えたものを示したが、両方の混練軸３に対してそれぞれスプロケットとモータを備えたものでもよい。
【００１８】
また、前記スプロケット７に続いてギヤ１１を左右の混練軸３にそれぞれ遊嵌して噛合させており、左右の混練軸３を同期速度で回転させるようにしている。また、同じ混練軸３に遊嵌したギヤ１１とスプロケット７は、一緒に回転するように一体に固着している。
【００１９】
前記混練軸３のギヤ１１に続く軸端部には、混練軸３と軸心を同一にする軸体１２を回転自在に軸支させる、軸受部１３ａとフランジ部１３ｂとから成る支持部材１３を装着していると共に、該支持部材１３のフランジ部１３ｂと前記ギヤ１１の対向するそれぞれの側面には、図５に示すように、締結片１４、１５を略同心円状に複数個突設させ、これらの締結片１４、１５の間にバネ１６を介した上で、ボルト１７にて締結して結合している。
【００２０】
したがって、混練軸駆動用モータ８によってスプロケット７を回転させる駆動力は、一旦ギヤ１１からバネ１６を介して支持部材１３に伝えられ、支持部材１３から最終的に混練軸３へと伝えられるようになっている。一方、前記軸体１２の回転に伴って生じる、後述のアンバランスウエイトからの振動は、支持部材１３を介して混練軸３側には直接伝わっていくものの、ギヤ１１及びスプロケット７側には間に介したバネ１６によって振動の大部分が吸収されて弱められ、混練軸駆動用モータ８にまで強い振動が伝わらないような振動抑制機構を構成している。これによって、混練軸駆動用モータ８などの駆動部の無用な振動を極力抑え、故障や破損などを未然に防いでメンテナンス面で有利としている。なお、前記バネ１６に代えて、例えば皿バネやゴムなどの弾性体などを採用することもできる。
【００２１】
また、前記支持部材１３の軸受部１３ａに回転自在に軸支させた軸体１２にはプーリ１８と主動ギヤ１９とをそれぞれ装着していると共に、軸体１２の上位には軸体駆動用モータ２０を配設しており、該軸体駆動用モータ２０に備えたプーリ２１と前記軸体１２のプーリ１８とをベルト２２にて連結して、軸体駆動用モータ２０の駆動により軸体１２を回転するようにしている。また、前記主動ギヤ１９の外周縁に沿わせて一対の従動ギヤ２３を軸体１２に対して対向位置に配置してそれぞれ主動ギヤ１９と噛合させている一方、各従動ギヤ２３はまた別の軸体２４に装着し、該軸体２４の両端部には起振用のアンバランスウエイト２５を固着し、かつ対向位置の従動ギヤ２３同士のアンバランスウエイト２５の位置関係が、図８に示すように、常に対称となるようにそれぞれの取り付け向きを調整している。
【００２２】
このように構成することにより、軸体１２の回転に伴って各従動ギヤ２３のアンバランスウエイト２５が回転して振動を発生させた際、混練軸３の半径方向への振動は相殺させる一方、混練軸３の円周方向、即ち混練軸３がもともと回動可能な方向には振動を付与することができ、混練軸３の軸受４部分のベアリングなどが振動による無理な負荷によって損傷することがないように図っている。
【００２３】
図８は、アンバランスウエイト２５の一連の動きを示すものであり、先ず（ａ）のタイミングでは、図中左側のアンバランスウエイト２５からは下向きへの加振力が働くと共に、右側のアンバランスウエイト２５からは上向きへの加振力が働き、結果として支持部材１３には軸体１２、即ち混練軸３を中心とした左回転方向への加振力が生じる。次に、軸体１２の回転に伴って各アンバランスウエイト２５が約１／４回転した状態を示す（ｂ）のタイミングでは、左側のアンバランスウエイト２５からは内向きへの加振力が働くと共に、右側のアンバランスウエイト２５からも内向きへの加振力が働き、結果として各アンバランスウエイト２５の加振力は相殺し合って打ち消され、支持部材１３には何れの方向へも加振力は生じない。
【００２４】
続く（ｃ）のタイミングでは、左側のアンバランスウエイト２５からは上向きへの加振力が働くと共に、右側のアンバランスウエイト２５からは下向きへの加振力が働き、結果として支持部材１３には軸体１２、即ち混練軸３を中心とした右回転方向への加振力が生じる。そして、最後の（ｄ）のタイミングでは、左側のアンバランスウエイト２５からは外向きへの加振力が働くと共に、右側のアンバランスウエイト２５からも外向きへの加振力が働き、結果として各アンバランスウエイト２５の加振力は相殺し合って打ち消され、支持部材１３には何れの方向へも加振力は生じない。
【００２５】
このように、一対の各従動ギヤ２３に取り付けたアンバランスウエイト２５を回転させて支持部材１３を介して混練軸３を振動させると、混練軸３はその半径方向へは振動することなく円周方向のみへ揺動するように振動するため、混練軸３の軸受４のベアリングなどに無理な負荷をかけずに好適に振動させることができる構成としている。なお、図８に示されていない上記各ステップ（ａ）、（ｂ）、（ｃ）、（ｄ）の中間の状態においても、左右のアンバランスウエイト２５の位置関係は必ず対称となるため、常に混練軸３の半径方向への振動は相殺し合って円周方向のみへ振動が加わるという点は変わらない。
【００２６】
また、混練槽２の底面左右位置には所定サイズの開口部２６を穿設していると共に、該開口部２６を塞ぐように、電動式の振動機２７を固定する振動プレート２８を備えている。振動機２７を固定した前記振動プレート２８は、図６及び図７に示すように、その内面側を混練槽２の内壁面と面一となるように混練槽２内方に臨ませている一方、振動プレート２８の周縁部を防振材である防振ゴム２９を介して固定板３０にボルト３１にて締結固定している。更に、この固定板３０は、その周縁部を前記開口部２６周囲の混練槽２外壁面に水密用のパッキン３２を介して当接させていると共に、固定板３０の長手方向両端部を、図１に示すように、それぞれ略Ｌ字形状に折曲し、その折曲部を混練槽２底面に突設した略Ｌ字形状の固定片３３に沿わせて、前記パッキン３２を押圧させるようにボルト３４にて締結固定して水密を図っている。
【００２７】
したがって、前記振動機２７を駆動させると振動プレート２８だけが強く振動して、その振動力は振動プレート２８の面した混練槽２内のコンクリート材料にそのまま直接伝わっていく一方、混練槽２自体へは防振ゴム２９によって振動力の大部分は吸収されて弱められ、強い振動がそのまま伝わっていくようなことはなく、振動によるミキサ１の故障や破損を未然に防止できる構成となっている。
【００２８】
なお、本実施例においては、振動機２７を混練槽２の底面の左右位置に一対取り付けたものを採用しているが、これに限定するものではなく、例えば混練槽２の側面に取り付けるようにしてもよいし、底面と側面の両方、或いはその他様々な場所に取り付けるようにしてもよい。また、振動機２７の数も混練槽２のサイズに応じて適宜増減させればよく、更に振動プレート２８のサイズなども適宜変更すればよい。また、振動機２７には、回転式の振動機や、ピストン式の振動機などを有効に採用することができる。
【００２９】
しかして、本発明のコンクリートミキサ１を用いて生コンクリートを混練する場合には、先ず、軸体駆動用モータ２０を駆動して軸体１２を回転させ、それに伴って従動ギヤ２３に取り付けたアンバランスウエイト２５を回転させることで混練軸３に振動を付与しつつ、混練軸駆動用モータ８を駆動して二本の混練軸３をそれぞれ相反する方向へ回転させると共に、混練槽２に備えた振動機２７も駆動させて振動プレート２８を振動させる。このとき、アンバランスウエイト２５による振動は、混練軸３側には直接伝わり、混練軸３に備えた多数のアーム５や混練羽根６などにも強く伝わっていく一方、駆動用モータ８側へはその途中に介したバネ１６によって大部分が吸収されて弱められ、駆動用モータ８まで強く振動が伝わるおそれはない。また、振動機２７による振動は、振動プレート２８より混練槽２内方側には直接伝わっていく一方、混練槽２自体へはその間に介した防振ゴム２９によって大部分が吸収されて弱められ、ミキサ１自体が強く振動するおそれはない。
【００３０】
そして、このような状態で混練槽２内に各種コンクリート材料を順次投入していく。混練槽２内に投入したコンクリート材料は、混練軸３、多数のアーム５や混練羽根６、更には混練槽２底面の振動プレート２８などから常に一定の振動を受けながら、回転する混練羽根６によって繰り返し撹拌・混合されて好適に混練がなされ、強度増加などが期待できる高品質な生コンクリートとして排出される。
【００３１】
このように、ミキサ１の混練軸３や、混練槽２に備えた振動プレート２８などに対して好適に振動を発生させるように構成したので、混練槽２内のコンクリート材料の隅々まで効率良く十分に振動を行き渡らせることができ、これによって混練性能が向上して練り上がり後のコンクリートの品質をより優れたものとすることが可能となる。
【実施例２】
【００３２】
図９〜図１５は本発明の別の実施例を示すものであって、実施例１と同一構造の部分は同一番号を付して詳細な説明は省略する。
【００３３】
本実施例のミキサ１´は、実施例１と同様に二軸式のコンクリートミキサであるが、混練軸駆動用モータ８を一対備え、この一対の混練軸駆動用モータ８の下位に備えた各減速機３５の入力軸３６同士をカップリング機構３７にて連結して同期をとるようにしたものであって、実施例１における同期用のギヤ１１を不要とするものである。
【００３４】
また、混練軸３の軸端部にフランジ３８を装着していると共に、減速機３５に備えられる出力軸３９にもフランジ４０を装着している。そして、これら各フランジ３８、４０の対向するそれぞれの側面には、図１４に示すように、多数の締結片１４、１５を突設させており、これらの締結片１４、１５の間にバネ１６を介した上で、ボルト１７にて締結して結合している。
【００３５】
したがって、混練軸駆動用モータ８による駆動力は、一旦減速機３５の出力軸３９に備えたフランジ４０からバネ１６を介して混練軸３に備えたフランジ３８に伝えられ、最終的に混練軸３へと伝えられるようになっている。一方、混練軸３の他端部に備えられるアンバランスウエイト２５からの振動は、混練軸３には直接伝わっていくものの、減速機３５や混練軸駆動用モータ８側には間に介したバネ１６によって振動の大部分が吸収されて弱められ、混練軸駆動用モータ８まで強い振動が伝わらずに故障や破損などを未然に防止可能とする、実施例１と同様の振動抑制機構を構成している。
【００３６】
前記混練軸３の他方の軸端部には、実施例１と同様に、混練軸３と軸心を同一にする軸体１２を回転自在に軸支させる支持部材１３を装着している。また、前記支持部材１３に回転自在に軸支させた軸体１２にはプーリ１８と主動ギヤ１９とをそれぞれ装着していると共に、軸体１２の側方には軸体駆動用モータ２０を配設しており、該軸体駆動用モータ２０に備えたプーリ２１と前記軸体１２のプーリ１８とをベルト２２にて連結して、軸体駆動用モータ２０の駆動により軸体１２を回転するようにしている。
【００３７】
また、前記主動ギヤ１９の外周縁に沿わせて四対の従動ギヤ２３を等間隔にて備え、各対を成す従動ギヤ２３同士が軸体１２に対してそれぞれ対向位置となるように配置して主動ギヤ１９と噛合させている一方、各従動ギヤ２３はまた別の軸体２４に装着し、該軸体２４の両端部には起振用のアンバランスウエイト２５を固着し、かつ対向位置の従動ギヤ２３同士のアンバランスウエイト２５の位置関係が、図１５に示すように、常に対称となるように取り付け向きを調整している。
【００３８】
このように構成することにより、軸体１２の回転に伴って各従動ギヤ２３のアンバランスウエイト２５が回転して振動を発生させた際、混練軸３の半径方向への振動は相殺させる一方、混練軸３の円周方向、即ち混練軸３がもともと回動可能な方向には振動を付与することができ、混練軸３の軸受４のベアリングなどが振動による無理な負荷によって損傷することがないように図っている。
【００３９】
図１５は、各アンバランスウエイト２５の一連の動きを示すものであり、先ず（ａ）のタイミングでは、各アンバランスウエイト２５からはそれぞれ矢印方向への加振力が働き、支持部材１３には軸体１２、即ち混練軸３を中心とした左回転方向への加振力が生じる。次に、軸体１２の回転に伴って各アンバランスウエイト２５が約１／４回転した状態を示す（ｂ）のタイミングでは、各アンバランスウエイト２５からはそれぞれ内向きへの加振力が働き、結果として各アンバランスウエイト２５の加振力は相殺し合って打ち消され、支持部材１３には何れの方向へも加振力は生じない。
【００４０】
続く（ｃ）のタイミングでは、各アンバランスウエイト２５からはそれぞれ矢印方向への加振力が働き、支持部材１３には軸体１２、即ち混練軸３を中心とした右回転方向への加振力が生じる。そして、最後の（ｄ）のタイミングでは、各アンバランスウエイト２５からはそれぞれ外向きへの加振力が働き、結果として各アンバランスウエイト２５の加振力は相殺し合って打ち消され、支持部材１３には何れの方向へも加振力は生じない。
【００４１】
このように、四対の各従動ギヤ２３に取り付けたアンバランスウエイト２５を回転させて支持部材１３を介して混練軸３を振動させると、混練軸３はその半径方向へは振動することなく円周方向のみへ揺動するように振動するため、混練軸３の軸受４のベアリングなどに無理な負荷をかけずに好適に振動させることができる構成としている。なお、図１５に示されていない上記各ステップ（ａ）、（ｂ）、（ｃ）、（ｄ）の中間の状態においても、対向位置のアンバランスウエイト２５の位置関係は必ず対称となるため、常に混練軸３の半径方向への振動は相殺し合って円周方向のみへ振動が加わるという点は変わらない。このように、本実施例によっても前記同様に好適に振動させることができ、練り上がり後のコンクリートの品質を優れたものとすることが可能となる。
【００４２】
なお、前記実施例１及び２においては、アンバランスウエイトを一対、及び四対の場合をそれぞれ記載しているが、二対や三対、或いは五対以上としたものでもよい。また、実施例２においては、混練槽２の底面に振動機を取り付けない場合を示しているが、必要であれば実施例１のように取り付けるようにしてもよいことは言うまでもない。また、ミキサ自体も二軸式ではなく一軸式のものを採用してもよい。また、本実施例においては、バッチ式のミキサを採用しているが、連続式のミキサなどにも好適に採用することができる。
【図面の簡単な説明】
【００４３】
【図１】本発明に係るコンクリートミキサの第一の実施例を示す一部切り欠き正面図である。
【図２】図１の平面図である。
【図３】図１の左側面図である。
【図４】図２の一部を切り欠いた要部拡大図である。
【図５】図１の一部を省略したＡ−Ａ断面拡大図である。
【図６】図１の一部を省略したＢ−Ｂ断面拡大図である。
【図７】図６の要部拡大図である。
【図８】アンバランスウエイトによる加振方向を説明する説明図である。
【図９】第二の実施例の図１に相当する図である。
【図１０】図９の平面図である。
【図１１】図９の左側面図である。
【図１２】図９の右側面図である。
【図１３】図１０の一部を切り欠いた要部拡大図である。
【図１４】図９の一部を省略したＣ−Ｃ断面拡大図である。
【図１５】第二の実施例の図８に相当する図である。
【符号の説明】
【００４４】
１、１´…コンクリートミキサ        ２…混練槽
３…混練軸                          ５…アーム
６…混練羽根                        ７…スプロケット
８…混練軸駆動用モータ            １１…ギヤ
１２…軸体                          １３…支持部材
１８…プーリ                        １９…主動ギヤ
２０…軸体駆動用モータ              ２３…従動ギヤ
２５…アンバランスウエイト          ２７…振動機
２８…振動プレート
【図１】
2007054959.tif 000003
【図２】
2007054959.tif 000004
【図３】
2007054959.tif 000005
【図４】
2007054959.tif 000006
【図５】
2007054959.tif 000007
【図６】
2007054959.tif 000008
【図７】
2007054959.tif 000009
【図８】
2007054959.tif 000010
【図９】
2007054959.tif 000011
【図１０】
2007054959.tif 000012
【図１１】
2007054959.tif 000013
【図１２】
2007054959.tif 000014
【図１３】
2007054959.tif 000015
【図１４】
2007054959.tif 000016
【図１５】
2007054959.tif 000017